【手続補正書】
【提出日】平成20年8月12日(2008.8.12)
【手続補正１】
【補正対象書類名】特許請求の範囲
【補正対象項目名】請求項４
【補正方法】変更
【補正の内容】
【請求項４】
一対の基板間に液晶組成物を注入して液晶表示パネルを形成する工程と、
前記一対の基板の外面に偏光板を固定する工程と、
前記偏光板に対向する面光源装置を形成する工程と、
前記液晶表示パネルと前記面光源装置とを組み合せる工程と、を備え、
前記面光源装置を形成する工程は、少なくとも一方の主面にプリズムを有するマザー導光体を形成する工程と、
板状部材を引き伸ばし、いずれか一方の面にプリズムを形成してシート状部材を形成する工程と、
前記シート状部材のプリズムが、前記マザー導光体のプリズムの延びる方向と直交する方向に対してずれた方向に延びるように前記マザー導光体と前記シート状部材とを重ねる工程と、
前記マザー導光体と前記シート状部材とを割断する工程と、を備え、
前記液晶表示パネルと前記面光源装置とを組み合せる工程は、前記液晶表示パネルと前記面光源装置とを、前記プリズムシートの偏光軸と前記偏光板の偏光軸との成す角が０度以上２０度以下となるように組み合せる工程を備える液晶表示装置の製造方法。
【手続補正２】
【補正対象書類名】明細書
【補正対象項目名】０００７
【補正方法】変更
【補正の内容】
【０００７】
本発明は、上記の問題点に鑑みて成されたものであって、表示画面に干渉縞が発生することを防ぐとともに、輝度の低下を抑制する液晶表示装置、液晶表示装置の製造方法、及び、液晶表示装置の設計方法を提供することを目的とする。
【手続補正３】
【補正対象書類名】明細書
【補正対象項目名】０００８
【補正方法】変更
【補正の内容】
【０００８】
本発明の第１の態様による液晶表示装置は、互いに対向配置された一対の基板間に液晶層が挟持された液晶表示パネルと、前記一対の基板の外面に配置された偏光板と、前記偏光板に対向した面光源装置と、を備え、前記面光源装置は、光源と、前記光源に対向する光入射面、前記光入射面から入射した光を出射する光出射面、及び前記光出射面に対向する対向面を有する導光体と、前記偏光板と前記導光体との間に配置されたプリズムシートと、を備え、前記導光体は、前記光出射面及び前記対向面の少なくとも一方にプリズムを有し、前記プリズムシートは、前記導光体のプリズムが延びる方向と８２乃至８６度成して延びるプリズムを有し、前記偏光板の偏光軸と前記プリズムシートの偏光軸とが一致するか、前記偏光板の偏光軸と前記プリズムシートの偏光軸とが成す角が０度以上２０度以下である。
【手続補正４】
【補正対象書類名】明細書
【補正対象項目名】０００９
【補正方法】変更
【補正の内容】
【０００９】
本発明の第２態様による液晶表示装置の製造方法は、一対の基板間に液晶組成物を注入して液晶表示パネルを形成する工程と、前記一対の基板の外面に偏光板を固定する工程と、前記偏光板に対向する面光源装置を形成する工程と、前記液晶表示パネルと前記面光源装置とを組み合せる工程と、を備え、前記面光源装置を形成する工程は、少なくとも一方の主面にプリズムを有するマザー導光体を形成する工程と、板状部材を引き伸ばし、いずれか一方の面にプリズムを形成してシート状部材を形成する工程と、前記シート状部材のプリズムが、前記マザー導光体のプリズムの延びる方向と直交する方向に対してずれた方向に延びるように前記マザー導光体と前記シート状部材とを重ねる工程と、前記マザー導光体と前記シート状部材とを割断する工程と、を備え、前記液晶表示パネルと前記面光源装置とを組み合せる工程は、前記液晶表示パネルと前記面光源装置とを、前記プリズムシートの偏光軸と前記偏光板の偏光軸との成す角が０度以上２０度以下となるように組み合せる工程を備える液晶表示装置の製造方法である。
【手続補正５】
【補正対象書類名】明細書
【補正対象項目名】００１０
【補正方法】変更
【補正の内容】
【００１０】
本発明の第３態様による液晶表示装置の設計方法は、プリズムを有する導光体上に、プリズムシートをそのプリズムが前記導光体のプリズムに対して略直交するように配置し、前記プリズムシート上に表示部を有する液晶表示パネルを配置し、前記液晶表示パネルを前記プリズムシートに略平行な面において回転させて、前記液晶表示パネルの表示部の輝度を測定し、輝度の測定結果から前記表示部の輝度が高くなる前記液晶表示パネルの回転方向を決定し、前記プリズムシートの回転方向を前記液晶表示パネルの回転方向と逆方向とする液晶表示装置の設計方法である。
【手続補正６】
【補正対象書類名】明細書
【補正対象項目名】００１１
【補正方法】変更
【補正の内容】
【００１１】
この発明によれば、表示画面に干渉縞が発生することを防ぐとともに、輝度の低下を抑制する液晶表示装置、液晶表示装置の製造方法、及び、液晶表示装置の設計方法を提供することができる。
【手続補正７】
【補正対象書類名】明細書
【補正対象項目名】００２３
【補正方法】変更
【補正の内容】
【００２３】
液晶表示パネル１０と面光源装置３０とはバックフレーム３２によって支持される。導光体３６、反射シート３８および光学シート３９はバックフレーム３２に取り付けられるフロントフレーム３３によって周囲を保持される。フロントフレーム３３は面光源装置３０の発光面３０Ａを露出させる窓部３３Ａを有している。
【手続補正８】
【補正対象書類名】明細書
【補正対象項目名】００３３
【補正方法】変更
【補正の内容】
【００３３】
また、表示画面に干渉縞が発生することを防ぐためには、プリズムシート３９Ａを反時計回りに４度以上回転させることが望ましい（すなわちプリズムシート３９ＡのプリズムＰＲ２と導光体３６のプリズムＰＲ１とがなす鋭角が８６度以下であることが望ましい）。しかしながら、プリズムシート３９ＡのプリズムＰＲ２と導光体３６のプリズムＰＲ１とがなす鋭角が小さすぎると、これらのプリズムによる効果（すなわち冷陰極管３４からの光の利用効率の向上）が十分に発揮できない。このため、プリズムシート３９Ａの回転角度は、反時計回り８度以下にすることが望ましい（すなわちプリズムＰＲ２と導光体３６のプリズムＰＲ１とがなす鋭角が８２度以上であることが望ましい）。
【手続補正９】
【補正対象書類名】明細書
【補正対象項目名】００４５
【補正方法】変更
【補正の内容】
【００４５】
本実施形態では、図４に示すように、マザー導光体３６ＭのプリズムはＤ３方向に伸びている。このとき、ＰＥＴシート３９Ｍは、そのプリズムがＤ３方向に略直交する方向であるＤ１方向から反時計回りに４乃至８度回転した方向（Ｄ１´方向）に延びるように配置される。すなわち、ＰＥＴシート３９Ｍのプリズムとマザー導光体３６Ｍのプリズムとは、８２乃至８６度成すように重ねられている。
【手続補正１０】
【補正対象書類名】明細書
【補正対象項目名】００４７
【補正方法】変更
【補正の内容】
【００４７】
図６及び図７に示すように、導光体３６とプリズムシート３９Ａとは、導光体３６のプリズムがＤ３方向に延び、プリズムシート３９ＡのプリズムがＤ３方向と略直交するＤ１方向から反時計回りに５度回転した方向であるＤ１´方向に延びるように配置される。すなわち、プリズムシート３９ＡのプリズムＰＲ２と導光体３６のプリズムＰＲ１とが８５度成して延びている。このとき、プリズムシート３９Ａの偏光軸ＡＸ２と偏光板ＰＬ１の偏光軸ＡＸ１とが成す鋭角θは２０度以下、もしくは、偏光軸ＡＸ１と偏光軸ＡＸ２とが略平行となっている。